(57)【要約】  第２の無線アクセス方式のセカンダリノードと共にユーザ装置に対してデュアルコネクティビティを提供する第１の無線アクセス方式の基地局は、前記第１の無線アクセス方式における前記ユーザ装置の測定能力の候補又は前記第２の無線アクセス方式における前記ユーザ装置の測定能力の候補を前記セカンダリノードに通知し、前記セカンダリノードからの応答に基づいて、前記第１の無線アクセス方式における前記ユーザ装置の測定能力を決定する測定能力調整部と、前記決定された測定能力に基づいて、前記第１の無線アクセス方式における前記ユーザ装置の測定動作を制御する測定制御部とを有する。
2019065243.tif 000002
【特許請求の範囲】
【請求項１】
第２の無線アクセス方式のセカンダリノードと共にユーザ装置に対してデュアルコネクティビティを提供する第１の無線アクセス方式の基地局であって、
前記第１の無線アクセス方式における前記ユーザ装置の測定能力の候補又は前記第２の無線アクセス方式における前記ユーザ装置の測定能力の候補を前記セカンダリノードに通知し、前記セカンダリノードからの応答に基づいて、前記第１の無線アクセス方式における前記ユーザ装置の測定能力を決定する測定能力調整部と、
前記決定された測定能力に基づいて、前記第１の無線アクセス方式における前記ユーザ装置の測定動作を制御する測定制御部と、
を有する基地局。
【請求項２】
前記測定能力調整部は、前記第１の無線アクセス方式及び前記第２の無線アクセス方式の両方における測定能力の合計値の上限値に基づいて、前記第１の無線アクセス方式における前記ユーザ装置の測定能力の候補又は前記第２の無線アクセス方式における前記ユーザ装置の測定能力の候補を決定して前記セカンダリノードに通知し、前記セカンダリノードが前記通知した測定能力の候補を受け入れたことを示す応答を受信した場合、前記第１の無線アクセス方式における前記ユーザ装置の測定能力を決定する、請求項１に記載の基地局。
【請求項３】
前記測定能力調整部は、前記セカンダリノードから、前記通知した測定能力の候補とは異なる測定能力を要求する応答を受信した場合、当該要求された測定能力を受け入れることができるか判断し、判断結果を前記セカンダリノードに通知する、請求項１に記載の基地局。
【請求項４】
前記測定能力調整部は、前記セカンダリノードから、前記第２の無線アクセス方式における前記ユーザ装置の測定能力の変更要求を受信した場合、前記第２の無線アクセス方式における前記ユーザ装置の測定能力の候補を前記セカンダリノードに通知する、請求項１乃至３のうちいずれか１項に記載の基地局。
【請求項５】
第１の無線アクセス方式のマスターノードと、第２の無線アクセス方式のセカンダリノードとによってユーザ装置に対してデュアルコネクティビティを提供するときの当該ユーザ装置の測定能力を決定するための測定能力決定方法であって、
前記マスターノードが、前記第１の無線アクセス方式における前記ユーザ装置の測定能力の候補又は前記第２の無線アクセス方式における前記ユーザ装置の測定能力の候補を前記セカンダリノードに送信するステップと、
前記セカンダリノードが、前記マスターノードからの測定能力の候補の通知に対する応答を前記マスターノードに送信するステップと、
前記マスターノードが、前記セカンダリノードからの応答に基づいて、前記第１の無線アクセス方式における前記ユーザ装置の測定能力を決定するステップと、
を有する測定能力決定方法。
【発明の詳細な説明】
【技術分野】
【０００１】
本発明は、基地局及び測定能力決定方法に関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）及びＬＴＥ−Ａｄｖａｎｃｅｄの後継として、ＮＲ（Ｎｅｗ  Ｒａｄｉｏ  Ａｃｃｅｓｓ  Ｔｅｃｈｎｏｌｏｇｙ）と呼ばれる新たな無線通信システムの仕様策定が進められている。ＮＲは５Ｇと表記されることもある。【０００３】
ＮＲでは、ＬＴＥと同様にデュアルコネクティビティ（ＤＣ：Ｄｕａｌ  Ｃｏｎｎｅｃｔｉｖｉｔｙ）の導入が検討されている。デュアルコネクティビティは、マスターノード及びセカンダリノードの両方の基地局への接続を可能にするユーザ装置の動作モードである。ＮＲにけるデュアルコネクティビティの一形態として、ＬＴＥの基地局（ｅＮＢ）とＮＲの基地局（ｇＮＢ）との間でデータを分割し、これらの基地局によってデータを同時送受信するＬＴＥ−ＮＲデュアルコネクティビティ（ＬＴＥ−ＮＲ  ＤＣ）がある。【０００４】
図１に示すように、ＬＴＥ−ＮＲ  ＤＣでは、ｅＮＢ及びｇＮＢのそれぞれがＲＲＣ（Ｒａｄｉｏ  Ｒｅｓｏｕｒｃｅ  Ｃｏｎｔｒｏｌ）エンティティを持つことが検討されている。図１の左図は、ｅＮＢがマスターノードでありｇＮＢがセカンダリノードであるＬＴＥ−ＮＲ  ＤＣを示している。図１の右図は、ｇＮＢがマスターノードでありｅＮＢがセカンダリノードであるＬＴＥ−ＮＲ  ＤＣを示している。ユーザ装置のＲＲＣ状態はマスターノードによって管理されるが、ＲＲＣメッセージはユーザ装置とセカンダリノードとの間で直接送受信することができる（非特許文献１参照）。例えば、ユーザ装置が測定する周波数レイヤの設定（Ｍｅａｓｕｒｅｍｅｎｔ  Ｏｂｊｅｃｔとも呼ばれる）、ユーザ装置が測定結果（無線品質など）を報告するイベントの設定（Ｒｅｐｏｒｔｉｎｇ  Ｃｏｎｆｉｇｕｒａｔｉｏｎとも呼ばれる）などは、セカンダリノードからユーザ装置に直接送信することができ、また、ユーザ装置からセカンダリノードへの測定結果の報告（Ｍｅａｓｕｒｅｍｅｎｔ  Ｒｅｐｏｒｔとも呼ばれる）も、ユーザ装置からセカンダリノードに直接送信することができる。
【先行技術文献】
【非特許文献】
【０００５】
【非特許文献１】３ＧＰＰ  ＴＲ３８．８０４  Ｖ１．０．０  （２０１７−０３）
【発明の概要】
【発明が解決しようとする課題】
【０００６】
ＬＴＥ−ＮＲ  ＤＣでは、ユーザ装置における測定動作の設定（Ｍｅａｓｕｒｅｍｅｎｔ  Ｃｏｎｆｉｇｕｒａｔｉｏｎ）はＬＴＥとＮＲとでそれぞれ独立に行われる。Ｍｅａｓｕｒｅｍｅｎｔ  ＣｏｎｆｉｇｕｒａｔｉｏｎはＭｅａｓｕｒｅｍｅｎｔ  Ｏｂｊｅｃｔ及びＲｅｐｏｒｔｉｎｇ  Ｃｏｎｆｉｇｕｒａｔｉｏｎを含むため、Ｍｅａｓｕｒｅｍｅｎｔ  ＯｂｊｅｃｔおよびＲｅｐｏｒｔｉｎｇ  ＣｏｎｆｉｇｕｒａｔｉｏｎについてもＬＴＥとＮＲとでそれぞれ独立に設定される。すなわち、ユーザ装置が測定する周波数レイヤの数及びユーザ装置が測定結果を報告するイベントの数のような、ユーザ装置の測定能力は、ＬＴＥとＮＲとで独立に決定される。ｅＮＢ及びｇＮＢは、それぞれ決定された測定能力の範囲内で、ユーザ装置に対してＭｅａｓｕｒｅｍｅｎｔ  Ｏｂｊｅｃｔを設定し、Ｒｅｐｏｒｔｉｎｇ  Ｃｏｎｆｉｇｕｒａｔｉｏｎを設定する。【０００７】
一方、ＬＴＥにおけるユーザ装置の測定能力と、ＮＲにおけるユーザ装置の測定能力は、それぞれ上限値があると共に、ＬＴＥ及びＮＲの両方におけるユーザ装置の測定能力の合計値にも上限値が規定されることが想定される。例えば、（１）ＬＴＥにおいては８個までの周波数レイヤの測定が可能であるという条件と、（２）ＮＲにおいては８個までの周波数レイヤの測定が可能であるという条件と、（３）ＬＴＥ及びＮＲの両方を合わせて１２個までの周波数レイヤの測定が可能であるという条件が規定されることが想定される。この例においてｅＮＢ及びｇＮＢがそれぞれ独立にユーザ装置の測定能力を決定すると、（３）の条件を担保することができない。【０００８】
なお、上記の問題は、ＬＴＥ−ＮＲ  ＤＣに限らず、異なる無線アクセス方式（ＲＡＴ：Ｒａｄｉｏ  Ａｃｃｅｓｓ  Ｔｅｃｈｎｏｌｏｇｙ）を用いたマルチＲＡＴデュアルコネクティビティ（ＭＲ  ＤＣ）において発生する。【０００９】
本発明は、異なる無線アクセス方式を用いたデュアルコネクティビティにおいて、それぞれの無線アクセス方式におけるユーザ装置の測定能力を適切に決定することを目的とする。
【課題を解決するための手段】
【００１０】
本発明の一形態は、第２の無線アクセス方式のセカンダリノードと共にユーザ装置に対してデュアルコネクティビティを提供する第１の無線アクセス方式の基地局であって、
前記第１の無線アクセス方式における前記ユーザ装置の測定能力の候補又は前記第２の無線アクセス方式における前記ユーザ装置の測定能力の候補を前記セカンダリノードに通知し、前記セカンダリノードからの応答に基づいて、前記第１の無線アクセス方式における前記ユーザ装置の測定能力を決定する測定能力調整部と、
前記決定された測定能力に基づいて、前記第１の無線アクセス方式における前記ユーザ装置の測定動作を制御する測定制御部と、
を有する基地局を提供する。
【発明の効果】
【００１１】
本発明によれば、異なる無線アクセス方式を用いたデュアルコネクティビティにおいて、それぞれの無線アクセス方式におけるユーザ装置の測定能力を適切に決定することが可能になり、ユーザ装置の測定動作の設定を無線アクセス方式毎に独立に行うことが可能になる。
【図面の簡単な説明】
【００１２】
【図１】ＬＴＥ−ＮＲ  ＤＣのアーキテクチャを示す概略図である。
【図２】本発明の一実施例による無線通信システムを示す概略図である。
【図３】全ユーザ装置に対して同じ測定能力を規定する例である。
【図４】ＵＥカテゴリ毎に異なる測定能力を規定する例である。
【図５】基地局間における測定能力調整手順を示すシーケンス図（具体例１）である。
【図６】基地局間における測定能力調整手順を示すシーケンス図（具体例２）である。
【図７】基地局間における測定能力調整手順を示すシーケンス図（具体例３）である。
【図８】基地局間における測定能力調整手順を示すシーケンス図（具体例４）である。
【図９】基地局間における測定能力調整手順を示すシーケンス図（具体例５）である。
【図１０】基地局の構成図である。
【図１１】基地局のハードウェア構成図である。
【発明を実施するための形態】
【００１３】
以下、図面に基づいて本発明の実施の形態を説明する。
【００１４】
以下の実施例では、ＬＴＥ−ＮＲ  ＤＣなどの基地局間の分配型通信、すなわち、ユーザ装置に対してデュアルコネクティビティを提供する基地局が開示される。
【００１５】
＜無線システムの概要＞
まず、図２を参照して、本発明の一実施例による無線通信システムを説明する。図２は、本発明の一実施例による無線通信システムを示す概略図である。無線通信システム１０は、複数の基地局１０１及び１０２と、ユーザ装置２００とで構成される。基地局１０１及び１０２は、ＬＴＥにおいてはｅＮＢと呼ばれてもよく、ＮＲにおいてはｇＮＢと呼ばれてもよい。ユーザ装置２００はＵＥと呼ばれてもよい。
【００１６】
図２に示すように、ユーザ装置２００は、ＬＴＥ及び／又はＮＲの基地局１０１及び１０２（以降では、併せて基地局１００と呼ぶことがある）と通信接続すると共に、基地局１０１及び１０２とのデュアルコネクティビティをサポートする。すなわち、ユーザ装置２００は、基地局１０１及び１０２により提供される複数のコンポーネントキャリアを同時に利用して、基地局１０１及び１０２とデータを同時送信又は受信することが可能である。例えば、ＬＴＥ−ＮＲ  ＤＣでは、コアネットワーク（図示せず）からのユーザ装置２００宛のダウンリンクデータは、Ｘ２インタフェース又はＸｎインタフェースを介し基地局１０１及び１０２の間で分配され、基地局１０１及び１０２のそれぞれからユーザ装置２００に送信される。以下の実施例では、ＬＴＥ−ＮＲ  ＤＣを例に挙げて説明するが、本発明の実施例は、ＬＴＥ−ＮＲ  ＤＣに限定されず、異なるＲＡＴを用いたマルチＲＡＴデュアルコネクティビティ（ＭＲ  ＤＣ）に適用可能である。
【００１７】
なお、図示の実施例では、無線通信システム１０は２つの基地局１０１及び１０２しか有していないが、本明細書を通じて、デュアルコネクティビティという用語は、３つ以上の基地局１００を用いた分配型通信又はマルチコネクティビティも網羅する。さらに、一般には、無線通信システム１０のサービスエリアをカバーするよう多数の基地局１００が配置される。
【００１８】
デュアルコネクティビティでは、基地局１０１及び１０２の一方がユーザ装置２００とのＲＲＣ状態を管理するマスターノードとなり、他方がマスターノードからの指示によってユーザ装置２００にコンポーネントキャリアを設定するセカンダリノードとなる。便宜上、基地局１０１がマスターノードであり、基地局１０２がセカンダリノードであると仮定して説明する。ＬＴＥ−ＮＲ  ＤＣでは、ＬＴＥの基地局（ｅＮＢ）がマスターノードになることもあり、ＮＲの基地局（ｇＮＢ）がマスターノードになることもある。マスターノードに関連付けられるサービングセルのグループをマスターセルグループ（ＭＣＧ：Ｍａｓｔｅｒ  Ｃｅｌｌ  Ｇｒｏｕｐ）と呼び、セカンダリノードに関連付けられるサービングセルのグループをセカンダリセルグループ（ＳＣＧ：Ｓｅｃｏｎｄａｒｙ  Ｃｅｌｌ  Ｇｒｏｕｐ）と呼ぶ。
【００１９】
通常の無線通信システムにおけるセル選択と同様に、デュアルコネクティビティにおいても、ユーザ装置２００は、自セルの受信環境よりも良い受信環境の隣接セルが存在するか否かを判断するために無線品質の測定（Ｍｅａｓｕｒｅｍｅｎｔ）を行う。ユーザ装置２００は、マスターノード１０１及びセカンダリノード１０２のそれぞれからのＲＲＣシグナリングを介して、無線品質を測定するための動作を設定し、測定結果を報告する。具体的には、マスターノード１０１及びセカンダリノード１０２のそれぞれは、ユーザ装置２００に対して測定対象の周波数レイヤを指定するためのＭｅａｓｕｒｅｍｅｎｔ  Ｏｂｊｅｃｔを設定し、測定結果を報告するイベントを指定するためのＲｅｐｏｒｔｉｎｇ  Ｃｏｎｆｉｇｕｒａｔｉｏｎを設定する。Ｍｅａｓｕｒｅｍｅｎｔ  ＯｂｊｅｃｔとＲｅｐｏｒｔｉｎｇ  Ｃｏｎｆｉｇｕｒａｔｉｏｎは識別子（Ｍｅａｓｕｒｅｍｅｎｔ  ＩＤ）によって結び付けられる。ユーザ装置２００は、Ｍｅａｓｕｒｅｍｅｎｔ  Ｏｂｊｅｃｔによって指定された周波数レイヤの無線品質を測定し、Ｒｅｐｏｒｔｉｎｇ  Ｃｏｎｆｉｇｕｒａｔｉｏｎによって指定されたイベント（例えば、ある閾値を超える条件）を満たすと、測定結果（Ｍｅａｓｕｒｅｍｅｎｔ  Ｒｅｐｏｒｔ）を送信する。
【００２０】
ＬＴＥ−ＮＲ  ＤＣでは、Ｍｅａｓｕｒｅｍｅｎｔ  ＯｂｊｅｃｔはＬＴＥとＮＲとでそれぞれ独立に設定され、Ｒｅｐｏｒｔｉｎｇ  ＣｏｎｆｉｇｕｒａｔｉｏｎもＬＴＥとＮＲとでそれぞれ独立に設定される。すなわち、マスターノード１０１及びセカンダリノード１０２のそれぞれが、Ｍｅａｓｕｒｅｍｅｎｔ  Ｏｂｊｅｃｔによってユーザ装置２００が測定する周波数レイヤを指定することができ、及びＲｅｐｏｒｔｉｎｇ  Ｃｏｎｆｉｇｕｒａｔｉｏｎによってユーザ装置２００が測定結果を報告するイベントを指定することができる。一方、マスターノード１０１及びセカンダリノード１０２がユーザ装置２００に対して無限に周波数レイヤ及びイベントを指定することは望ましくなく、周波数レイヤ数に上限値が規定され、イベント数に上限値が規定される。以下の実施例では、周波数レイヤ数の上限値及びイベント数の上限値が規定される例について説明するが、ユーザ装置２００の測定能力を制限するための他の上限値が規定されてもよい。
【００２１】
図３は、全ユーザ装置に対して同じ測定能力を規定する例を示す図である。例えば、ユーザ装置２００に対して設定可能な周波数レイヤ数の上限値は、ＲＡＴ毎に規定されると共に、ＲＡＴ間の合計値としても規定される。例えば、ＬＴＥにおける周波数レイヤ数の上限値はＸ１個であり、ＮＲにおける周波数レイヤ数の上限値はＸ２個であり、ＬＴＥ及びＮＲの両方を合わせた周波数レイヤ数の合計値の上限値はＹ個であり、ＹはＸ１＋Ｘ２未満である。同様に、例えば、ユーザ装置２００に対して設定可能なイベント数の上限値は、ＲＡＴ毎に規定されると共に、ＲＡＴ間の合計値としても規定される。例えば、ＬＴＥにおけるイベント数の上限値はＮ１個であり、ＮＲにおけるイベント数の上限値はＮ２個であり、ＬＴＥ及びＮＲの両方を合わせたイベント数の合計値の上限値はＺ個であり、ＺはＮ１＋Ｎ２未満である。マスターノード１０１及びセカンダリノード１０２は、これらの上限値を考慮してユーザ装置２００の測定能力を決定し、ユーザ装置２００の測定動作を制御する必要がある。
【００２２】
図４は、ＵＥカテゴリ毎に異なる測定能力を規定する例を示す図である。例えば、ユーザ装置２００の能力に応じて、ＵＥカテゴリ＃Ａ及びＵＥカテゴリ＃Ｂが規定されてもよい。規定されるＵＥカテゴリの数は任意に設定できる。周波数レイヤ数の上限値及びイベント数の上限値は、ＵＥカテゴリに応じて異なってもよい。例えば、ＵＥカテゴリ＃Ａのユーザ装置について、ＬＴＥにおける周波数レイヤ数の上限値はＦｎ１個であり、ＮＲにおける周波数レイヤ数の上限値はＦｎ２個であり、ＬＴＥ及びＮＲの両方を合わせた周波数レイヤ数の合計値の上限値はＹＡ個であり、ＹＡはＦｎ１＋Ｆｎ２未満である。また、ＵＥカテゴリ＃Ｂのユーザ装置について、ＬＴＥにおける周波数レイヤ数の上限値はＦｎ３個であり、ＮＲにおける周波数レイヤ数の上限値はＦｎ４個であり、ＬＴＥ及びＮＲの両方を合わせた周波数レイヤ数の合計値の上限値はＹＢ個であり、ＹＢはＦｎ３＋Ｆｎ４未満である。同様に、例えば、カテゴリ＃Ａのユーザ装置について、ＬＴＥにおけるイベント数の上限値はＭｅ１個であり、ＮＲにおけるイベント数の上限値はＭｅ２個であり、ＬＴＥ及びＮＲの両方を合わせたイベント数の合計値の上限値はＺＡ個であり、ＺＡはＭｅ１＋Ｍｅ２未満である。また、カテゴリ＃Ｂのユーザ装置について、ＬＴＥにおけるイベント数の上限値はＭｅ３個であり、ＮＲにおけるイベント数の上限値はＭｅ４個であり、ＬＴＥ及びＮＲの両方を合わせたイベント数の合計値の上限値はＺＢ個であり、ＺＢはＭｅ３＋Ｍｅ４未満である。
【００２３】
本発明の実施例では、マスターノード１０１及びセカンダリノード１０２が連携して、図３及び図４に示すような上限値を考慮して、ユーザ装置２００の測定能力を決定する手順について説明する。
【００２４】
＜具体例１＞
具体例１では、マスターノード１０１が、ユーザ装置２００の測定能力の候補をセカンダリノード１０２に通知し、セカンダリノード１０２が通知された測定能力の候補を受け入れる例について説明する。
【００２５】
具体例１では、マスターノード１０１がＬＴＥの基地局であり、セカンダリノード１０２がＮＲの基地局であると仮定する。マスターノード１０１は、図３又は図４に示すようなＲＡＴ毎の上限値及びＲＡＴ間の合計値の上限値を参照して、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）を決定すると共に、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定する。例えば、図３に示すようにＵＥカテゴリを考慮しない場合には、ｎはＸ１であり、ＮはＸ２以下であり、ｍはＮ１以下であり、ＭはＮ２以下である。また、ｎ＋ＮはＹ以下であり、ｍ＋ＭはＺ以下である。図４に示すようにＵＥカテゴリを考慮する場合には、ＵＥカテゴリ＃Ａのユーザ装置２００に対してｎはＦｎ１以下であり、ＮはＦｎ２以下であり、ｍはＭｅ１以下であり、ＭはＭｅ２以下である。また、ｎ＋ＮはＹＡ以下であり、ｍ＋ＭはＺＡ以下である。
【００２６】
マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知する（Ｓ１０１）。周波数レイヤ数Ｎ及びイベント数Ｍは、マスターノード１０１がセカンダリノード１０２に対してＳＣＧの追加又は変更を要求するときに送信されるメッセージに含まれてもよい。
【００２７】
セカンダリノード１０２は、通知された測定能力の候補である周波数レイヤ数Ｎ及びイベント数Ｍを受け入れることができるか判断し、周波数レイヤ数Ｎ及びイベント数Ｍを受け入れることができる場合、その旨を示す応答（Ａｃｃｅｐｔおよび／または肯定的回答（ＡＣＫなど）、以下同様）をマスターノード１０１に送信する（Ｓ１０２）。なお、セカンダリノード１０２は、周波数レイヤ数Ｎ及びイベント数Ｍを受け入れることができない場合、その旨を示す応答（Ｒｅｊｅｃｔおよび／または否定的回答（ＮＡＣＫなど）、以下同様）をマスターノード１０１に送信する。
【００２８】
マスターノード１０１は、セカンダリノード１０２が周波数レイヤ数Ｎ及びイベント数Ｍを受け入れたことを示す応答（Ａｃｃｅｐｔ）を受信した場合、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）を使用することができると決定する。なお、マスターノード１０１がセカンダリノード１０２から周波数レイヤ数Ｎ及びイベント数Ｍを受け入れることができないことを示す応答（Ｒｅｊｅｃｔ）を受信した場合、マスターノード１０１は、ステップＳ１０１に戻り、別の測定能力の候補である周波数レイヤ数（例えば、Ｎに一定値を加算した値）及びイベント数（例えば、Ｍに一定値を加算した値）を通知してもよい。
【００２９】
マスターノード１０１は、ＬＴＥにおいて決定した周波数レイヤ数ｎ及びイベント数ｍに基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ１０３）。
【００３０】
セカンダリノード１０２は、ＮＲにおいて決定した周波数レイヤ数Ｎ及びイベント数Ｍに基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ１０４）。
【００３１】
上記のステップＳ１０１において、マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知しているが、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）をセカンダリノード１０２に通知してもよい。例えば、マスターノード１０１は、ＮＲにおける周波数レイヤ数Ｎ及びイベント数Ｍを決定せずに、ＬＴＥにおける周波数レイヤ数ｎ及びイベント数ｍを決定してセカンダリノード１０２に通知する。ステップＳ１０２において、セカンダリノード１０２は、通知された周波数レイヤｎ及びイベント数ｍを受け入れることができるか判断する。具体的には、セカンダリノード１０２は、図３又は図４に示すようなＲＡＴ毎の上限値及びＲＡＴ間の合計値の上限値を参照して、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定することができるか判断する。周波数レイヤ数ｎ及びイベント数ｍを受け入れることができる場合、その旨を示す応答（Ａｃｃｅｐｔ）をマスターノード１０１に送信する。周波数レイヤ数ｎ及びイベント数ｍを受け入れることができない場合、その旨を示す応答（Ｒｅｊｅｃｔ）をマスターノード１０１に送信する。マスターノード１０１がセカンダリノード１０２から周波数レイヤ数ｎ及びイベント数ｍを受け入れることができないことを示す応答（Ｒｅｊｅｃｔ）を受信した場合、マスターノード１０１は、ステップＳ１０１に戻り、別の測定能力の候補である周波数レイヤ数（例えば、ｎから一定値を減算した値）及びイベント数（例えば、ｍから一定値を減算した値）を通知してもよい。
【００３２】
または、以下のような動作であってもよい。マスターノード１０１は、ＮＲにおける周波数レイヤ数Ｎ及びイベント数Ｍを決定せずに、ＬＴＥにおける周波数レイヤ数ｎ及びイベント数ｍを決定してセカンダリノード１０２に通知する。ステップＳ１０２において、セカンダリノード１０２は、ＲＡＴ毎の上限値及びＲＡＴ間の合計値の上限値を参照して、ＲＡＴ間の合計値の上限値を超えないように、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定することができるか判断し、その旨を示す応答（Ａｃｃｅｐｔ）をマスターノード１０１に送信する。それぞれのＲＡＴで独自に値を設定することができるため、ＲＡＴ合計値の上限値を超えない限り、各ＲＡＴで決定した値を適用する。本動作によれば、ＲＡＴ間の合計値を超えることなく値を決定することが可能となり、かつ、動作（たとえばシグナリング）が不必要に過大となることもなく好ましい。ＲＡＴ間の合計値を超える場合は、例えば具体例４のような動作を取ることで対応可能である。
【００３３】
＜具体例２＞
具体例２では、マスターノード１０１が、ユーザ装置２００の測定能力の候補をセカンダリノード１０２に通知し、セカンダリノード１０２が通知された測定能力の候補とは異なる測定能力を要求する例について説明する。
【００３４】
具体例２では、マスターノード１０１がＬＴＥの基地局であり、セカンダリノード１０２がＮＲの基地局であると仮定する。具体例１におけるステップＳ１０１と同様に、マスターノード１０１は、図３又は図４に示すようなＲＡＴ毎の上限値及びＲＡＴ間の合計値の上限値を参照して、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）を決定すると共に、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定する。
【００３５】
マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知する（Ｓ２０１）。
【００３６】
セカンダリノード１０２は、通知された測定能力の候補である周波数レイヤ数Ｎ及びイベント数Ｍを受け入れることができない場合、周波数レイヤ数Ｎ及びイベント数Ｍとは異なる周波数レイヤ数（ＳＣＧ−ＮｕｍＦｒｅｑＬａｙｅｒ：Ｎ'）及びイベント数（ＳＣＧ−ＮｕｍＭｅａｓＥｖｅｎｔ：Ｍ'）をマスターノード１０１に要求する（Ｓ２０２）。例えば、Ｎ'はＮよりも大きい値であり、Ｍ'はＭよりも大きい値である。
【００３７】
マスターノード１０１は、要求された周波数レイヤ数Ｎ'及びイベント数Ｍ'を受け入れることができるか判断し、周波数レイヤ数Ｎ'及びイベント数Ｍ'を受け入れることができる場合、その旨を示す応答（Ａｃｃｅｐｔ）をセカンダリノード１０２に送信する（Ｓ２０３）。例えば、周波数レイヤ数Ｎ'及びイベント数Ｍ'を受け入れても、ＬＴＥ及びＮＲの両方における周波数レイヤ数の合計値の上限値及びイベント数の合計値の上限値を超えない場合には、マスターノード１０１は、周波数レイヤ数Ｎ'及びイベント数Ｍ'を受け入れることができる。また、マスターノード１０１がＬＴＥにおける周波数レイヤ数ｎ及びイベント数ｍを減らすことによって、ＬＴＥ及びＮＲの両方における周波数レイヤ数の合計値の上限値及びイベント数の合計値の上限値を超えなくすることができる場合には、マスターノード１０１は、周波数レイヤ数Ｎ'及びイベント数Ｍ'を受け入れることができる。なお、マスターノード１０１は、周波数レイヤ数Ｎ'及びイベント数Ｍ'を受け入れることができない場合、その旨を示す応答（Ｒｅｊｅｃｔ）をセカンダリノード１０２に送信する。
【００３８】
マスターノード１０１は、要求された周波数レイヤ数Ｎ'及びイベント数Ｍ'を受け入れることができる場合、ＬＴＥ及びＮＲの両方における周波数レイヤ数の合計値の上限値及びイベント数の合計値の上限値から要求された周波数レイヤ数Ｎ'及びイベント数Ｍ'を減算した範囲内で、ＬＴＥにおけるユーザ装置２００の周波数レイヤ数ｎ'及びイベント数ｍ'を決定する。例えば、図３に示すようにＵＥカテゴリを考慮しない場合には、マスターノード１０１は、ＬＴＥにおいてＹ−Ｎ'個の範囲内で、Ｘ１個以下の周波数レイヤ数ｎ'を決定し、Ｚ−Ｍ'個の範囲内で、Ｎ１個以下のイベント数ｍ'を決定する。例えば、図４に示すようにＵＥカテゴリを考慮する場合には、マスターノード１０１は、ＵＥカテゴリ＃Ａのユーザ装置２００に対してＬＴＥにおいてＹＡ−Ｎ'個の範囲内で、Ｆｎ１個以下の周波数レイヤ数ｎ'を決定し、ＺＡ−Ｍ'個以下の範囲内で、Ｍｅ１個以下のイベント数ｍ'を決定する。
【００３９】
マスターノード１０１は、ＬＴＥにおいて決定した周波数レイヤ数ｎ'及びイベント数ｍ'に基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ２０４）。
【００４０】
セカンダリノード１０２は、マスターノード１０１が周波数レイヤ数Ｎ'及びイベント数Ｍ'を受け入れたことを示す応答（Ａｃｃｅｐｔ）を受信した場合、ＮＲにおける周波数レイヤ数Ｎ'及びイベント数Ｍ'に基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ２０５）。なお、セカンダリノード１０２がマスターノード１０１から周波数レイヤ数Ｎ'及びイベント数Ｍ'を受け入れることができないことを示す応答（Ｒｅｊｅｃｔ）を受信した場合、セカンダリノード１０２は、ステップＳ２０２に戻り、別の周波数レイヤ数（例えば、Ｎ'から一定値を減算した値）及びイベント数（例えば、Ｍ'から一定値を減算した値）を要求してもよい。
【００４１】
上記のステップＳ２０１において、マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知しているが、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）をセカンダリノード１０２に通知してもよい。例えば、マスターノード１０１は、ＮＲにおける周波数レイヤ数Ｎ及びイベント数Ｍを決定せずに、ＬＴＥにおける周波数レイヤ数ｎ及びイベント数ｍを決定してセカンダリノード１０２に通知する。ステップＳ２０２において、セカンダリノード１０２は、通知された周波数レイヤｎ及びイベント数ｍを受け入れることができるか判断する。具体的には、セカンダリノード１０２は、図３又は図４に示すようなＲＡＴ毎の上限値及びＲＡＴ間の合計値の上限値を参照して、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定することができるか判断する。周波数レイヤ数ｎ及びイベント数ｍを受け入れることができない場合、周波数レイヤ数ｎ及びイベント数ｍとは異なる周波数レイヤ数（ＭＣＧ−ＮｕｍＦｒｅｑＬａｙｅｒ：ｎ'）及びイベント数（ＭＣＧ−ＮｕｍＭｅａｓＥｖｅｎｔ：ｍ'）をマスターノード１０１に要求する。例えば、ｎ'はｎよりも小さい値であり、ｍ'はｍよりも小さい値である。ステップＳ２０３において、マスターノード１０１は、要求された周波数レイヤ数ｎ'及びイベント数ｍ'を受け入れることができるか判断し、周波数レイヤ数ｎ'及びイベント数ｍ'を受け入れることができる場合、その旨を示す応答（Ａｃｃｅｐｔ）をセカンダリノード１０２に送信する。マスターノード１０１は、周波数レイヤ数ｎ'及びイベント数ｍ'を受け入れることができない場合、その旨を示す応答（Ｒｅｊｅｃｔ）をセカンダリノード１０２に送信する。セカンダリノード１０２がマスターノード１０１から周波数レイヤ数ｎ'及びイベント数ｍ'を受け入れることができないことを示す応答（Ｒｅｊｅｃｔ）を受信した場合、セカンダリノード１０２は、ステップＳ２０２に戻り、別の周波数レイヤ数（例えば、ｎ'に一定値を加算した値）及びイベント数（例えば、ｍ'に一定値を加算した値）を要求してもよい。
【００４２】
＜具体例３＞
具体例３では、マスターノード１０１及びセカンダリノード１０２が互いにユーザ装置２００の測定能力を受け入れることができるまで、測定能力を要求する例について説明する。
【００４３】
具体例３では、マスターノード１０１がＬＴＥの基地局であり、セカンダリノード１０２がＮＲの基地局であると仮定する。具体例２におけるステップＳ２０１と同様に、マスターノード１０１は、図３又は図４に示すようなＲＡＴ毎の上限値及びＲＡＴ間の合計値の上限値を参照して、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）を決定すると共に、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）を決定する。
【００４４】
マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知する（Ｓ３０１）。
【００４５】
具体例２におけるステップＳ２０２と同様に、セカンダリノード１０２は、通知された測定能力の候補である周波数レイヤ数Ｎ及びイベント数Ｍを受け入れることができない場合、周波数レイヤ数Ｎ及びイベント数Ｍとは異なる周波数レイヤ数（ＳＣＧ−ＮｕｍＦｒｅｑＬａｙｅｒ：Ｎ'）及びイベント数（ＳＣＧ−ＮｕｍＭｅａｓＥｖｅｎｔ：Ｍ'）をマスターノード１０１に要求する（Ｓ３０２）。
【００４６】
マスターノード１０１は、要求された周波数レイヤ数Ｎ'及びイベント数Ｍ'を受け入れることができるか判断し、周波数レイヤ数Ｎ'及びイベント数Ｍ'を受け入れることができない場合、周波数レイヤ数Ｎ'及びイベント数Ｍ'とは異なる周波数レイヤ数（ＳＣＧ−ＮｕｍＦｒｅｑＬａｙｅｒ：Ｎ"）及びイベント数（ＳＣＧ−ＮｕｍＭｅａｓＥｖｅｎｔ：Ｍ"）をセカンダリノード１０２に要求する（Ｓ３０３）。例えば、Ｎ"はＮ'よりも小さい値であり、Ｍ"はＭ'よりも小さい値である。
【００４７】
マスターノード１０１及びセカンダリノード１０２が互いに周波数レイヤ数及びイベント数を受け入れることができるまで、ステップＳ３０２及びステップＳ３０３が繰り返される。
【００４８】
マスターノード１０１及びセカンダリノード１０２が相手から要求された周波数レイヤ数及びイベント数を受け入れることができる場合（図７の例では、セカンダリノード１０２がマスターノード１０１から要求された周波数レイヤ数Ｎ"及びイベント数Ｍ"を受け入れることができる場合）、その旨を示す応答（Ａｃｃｅｐｔ）を送信する（Ｓ３０４）。
【００４９】
マスターノード１０１は、周波数レイヤ数Ｎ"及びイベント数Ｍ"に基づいて、ＬＴＥにおける周波数レイヤ数ｎ"及びイベント数ｍ"を決定する。そして、マスターノード１０１は、ＬＴＥにおいて決定した周波数レイヤ数ｍ"及びイベント数ｎ"に基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ３０５）。
【００５０】
セカンダリノード１０２は、周波数レイヤ数Ｎ"及びイベント数Ｍ"に基づいて、ユーザ装置２００の測定動作を制御するため、ＲＲＣシグナリングを介してＬＴＥにおけるＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する（Ｓ３０６）。
【００５１】
なお、具体例３においても、マスターノード１０１は、ＮＲにおけるユーザ装置２００の測定能力の候補である周波数レイヤ数（ＳＣＧ−ＮｕｍＦｒｅｑＬａｙｅｒ：Ｎ）及びイベント数（ＳＣＧ−ＮｕｍＭｅａｓＥｖｅｎｔ：Ｍ）をセカンダリノード１０２に通知しているが、ＬＴＥにおけるユーザ装置２００の測定能力の候補である周波数レイヤ数（ＭＣＧ−ＮｕｍＦｒｅｑＬａｙｅｒ：ｎ）及びイベント数（ＭＣＧ−ＮｕｍＭｅａｓＥｖｅｎｔ：ｍ）をセカンダリノード１０２に通知してもよい。上記と同様の手順が、相手から要求されたＬＴＥにおける周波数レイヤ数及びイベント数を受け入れることができるまで続けられる。
【００５２】
＜具体例４＞
具体例４では、具体例１〜具体例３のいずれかを用いて決定したユーザ装置２００の測定能力を、セカンダリノード１０２からの要求によって変更する例について説明する。この具体例は主に、セカンダリノード１０２が適用している測定能力を増加させる必要がある場合に適用される。
【００５３】
具体例４では、マスターノード１０１がＬＴＥの基地局であり、セカンダリノード１０２がＮＲの基地局であると仮定する。セカンダリノード１０２は、例えば、新たな周波数帯域の割り当て、周辺における新たな基地局の設置などによって、ＮＲにおけるユーザ装置２００の測定能力を増加させる必要がある場合、ＮＲにおける周波数レイヤ数及びイベント数の変更要求をマスターノード１０１に送信する（Ｓ４０１）。ＮＲにおける周波数レイヤ数及びイベント数の変更要求は、セカンダリノード１０２がマスターノード１０１に対してＳＣＧの変更を要求するときに送信されるメッセージに含まれてもよい。
【００５４】
マスターノード１０１は、図３又は図４に示すようなＮＲにおける上限値を参照して、ＮＲにおけるユーザ装置２００の測定能力の候補である周波数レイヤ数（ＳＣＧ−ＮｕｍＦｒｅｑＬａｙｅｒ：Ｐ）及びイベント数（ＳＣＧ−ＮｕｍＭｅａｓＥｖｅｎｔ：Ｑ）をセカンダリノード１０２に通知する（Ｓ４０２）。例えば、ＰはＮよりも大きい値であり、ＱはＭよりも大きい値である。ただし、図３に示すようにＵＥカテゴリを考慮しない場合には、ＰはＸ２以下であり、ＱはＮ２以下である。図４に示すようにＵＥカテゴリを考慮する場合には、ＵＥカテゴリ＃Ａのユーザ装置２００に対してＰはＦｎ２以下であり、ＱはＭｅ２以下である。
【００５５】
セカンダリノード１０２は、通知された測定能力の候補である周波数レイヤ数Ｎ及びイベント数Ｍを受け入れることができるか判断し、周波数レイヤ数Ｎ及びイベント数Ｍを受け入れることができる場合、その旨を示す応答（Ａｃｃｅｐｔ）をマスターノード１０１に送信する（Ｓ４０３）。なお、セカンダリノード１０２は、周波数レイヤ数Ｐ及びイベント数Ｑを受け入れることができない場合、その旨を示す応答（Ｒｅｊｅｃｔ）をマスターノード１０１に送信する。この場合、マスターノード１０１は、ステップＳ４０２に戻り、別の測定能力の候補である周波数レイヤ数（例えば、Ｐに一定値を加算した値）及びイベント数（例えば、Ｑに一定値を加算した値）を通知してもよい。
【００５６】
その後、具体例１のステップＳ１０３及びＳ１０４と同様に、マスターノード１０１及びセカンダリノードによってユーザ装置２００の測定動作が制御される（図示せず）。
【００５７】
＜具体例５＞
具体例５では、具体例１〜具体例３のいずれかを用いて決定したユーザ装置２００の測定能力を、マスターノード１０１からの要求によって変更する例について説明する。この具体例は主に、セカンダリノード１０２が適用している測定能力を減少させる必要がある場合に適用される。
【００５８】
具体例５では、マスターノード１０１がＬＴＥの基地局であり、セカンダリノード１０２がＮＲの基地局であると仮定する。マスターノード１０１は、例えば、ＮＲにおけるユーザ装置２００の測定能力を減少させる必要がある場合、ＮＲにおける周波数レイヤ数及びイベント数の変更要求をセカンダリノード１０２に送信する（Ｓ５０１）。ＮＲにおける周波数レイヤ数及びイベント数の変更要求は、マスターノード１０１がセカンダリノード１０２に対してＳＣＧの変更を要求するときに送信されるメッセージに含まれてもよい。
【００５９】
セカンダリノード１０２は、周波数レイヤ及びイベント数をそれぞれＭ及びＮからＰ及びＱに変更できる場合、変更後の周波数レイヤ数（ＳＣＧ−ＮｕｍＦｒｅｑＬａｙｅｒ：Ｐ）及びイベント数（ＳＣＧ−ＮｕｍＭｅａｓＥｖｅｎｔ：Ｑ）をマスターノード１０１に通知する（Ｓ５０２）。例えば、ＰはＮよりも小さい値であり、ＱはＭよりも小さい値である。
【００６０】
マスターノード１０１は、周波数レイヤ数Ｐ及びイベント数Ｑを受け入れることができるか判断し、周波数レイヤ数Ｐ及びイベント数Ｑを受け入れることができる場合、その旨を示す応答（Ａｃｃｅｐｔ）をセカンダリノード１０２に送信する（Ｓ５０３）。なお、マスターノード１０１は、周波数レイヤ数Ｐ及びイベント数Ｑを受け入れることができない場合、その旨を示す応答（Ｒｅｊｅｃｔ）をセカンダリノード１０２に送信する。この場合、セカンダリノード１０２は、ステップＳ５０２に戻り、別の測定能力である周波数レイヤ数（例えば、Ｐから一定値を減算した値）及びイベント数（例えば、Ｑから一定値を減算した値）を通知してもよい。
【００６１】
その後、具体例１のステップＳ１０３及びＳ１０４と同様に、マスターノード１０１及びセカンダリノードによってユーザ装置２００の測定動作が制御される（図示せず）。
【００６２】
なお、マスターノード１０１からの要求によってユーザ装置２００の測定能力を変更する場合、具体例１〜具体例３の手順に従ってユーザ装置２００の測定能力を変更することも可能である。
【００６３】
＜基地局の構成＞
次に、図１０を参照して、これまでに説明した処理動作を実行する基地局１００の機能構成例を説明する。基地局１００は、具体例１〜具体例５のいずれか１つ以上のマスターノード１０１又はセカンダリノード１０２の一方の機能を備えてもよく、具体例１〜具体例５のいずれか１つ以上のマスターノード１０１及びセカンダリノード１０２の両方の機能を有してもよい。図１０に示すように、基地局１００は、信号送信部１１０と、信号受信部１２０と、測定能力調整部１３０と、基地局間通信部１４０と、測定制御部１５０とを有する。図１０に示す機能構成は一例に過ぎない。本発明の実施例に係る動作を実行できるのであれば、機能区分及び機能部の名称は任意に設定できる。
【００６４】
信号送信部１１０は、ユーザ装置２００に対して送信する送信信号を作成し、当該送信信号を無線で送信する。信号受信部１２０は、ユーザ装置２００から各種の信号を無線受信し、受信した物理レイヤの信号からより上位のレイヤの信号を取得する。ユーザ装置２００の測定動作を制御するために、信号送信部１１０は、Ｍｅａｓｕｒｅｍｅｎｔ  Ｏｂｊｅｃｔ及びＲｅｐｏｒｔｉｎｇ  Ｃｏｎｆｉｇｕｒａｔｉｏｎを設定するためのＲＲＣメッセージをユーザ装置２００に送信する。また、信号受信部１２０は、ユーザ装置２００から測定結果を受信する。
【００６５】
測定能力調整部１３０は、デュアルコネクティビティの相手のノードと連携して、ユーザ装置２００の測定能力を決定する。測定能力調整部１３０は、基地局間通信部１４０を介して、具体例１〜具体例５において説明したマスターノード１０１とセカンダリノード１０２との間の情報交換を行い、ユーザ装置２００の測定能力である周波数レイヤ数及びイベント数を決定する。例えば、基地局１００がマスターノード１０１である場合、測定能力調整部１３０は、マスターノード１０１が適用すべき測定能力の候補又はセカンダリノード１０２が適用すべき測定能力の候補をセカンダリノード１０２に通知し、セカンダリノード１０２からの応答に基づいて、必要に応じてセカンダリノード１０２との情報交換を更に行い、マスターノード１０１が適用すべき測定能力を決定する。或いは、例えば、基地局１００がマスターノード１０１である場合、測定能力調整部１３０は、セカンダリノード１０２からセカンダリノード１０２が適用すべき測定能力又はマスターノード１０１が適用すべき測定能力の要求を受信し、セカンダリノード１０２から要求された測定能力を受け入れることができるか判断し、必要に応じてセカンダリノード１０２との情報交換を更に行い、マスターノード１０１が適用すべき測定能力を決定する。また、例えば、基地局１００がセカンダリノード１０２である場合、測定能力調整部１３０は、マスターノード１０１からマスターノード１０１が適用すべき測定能力の候補又はセカンダリノード１０２が適用すべき測定能力の候補を受信し、マスターノード１０１から通知された測定能力を受け入れることができるか判断し、必要に応じてマスターノード１０１との情報交換を更に行い、セカンダリノード１０２が適用すべき測定能力を決定する。或いは、例えば、基地局１００がセカンダリノード１０２である場合、測定能力調整部１３０は、セカンダリノード１０２が適用すべき測定能力又はマスターノード１０１が適用すべき測定能力をマスターノード１０１に要求し、マスターノード１０１からの応答に基づいて、必要に応じてマスターノード１０１との情報交換を更に行い、セカンダリノード１０２が適用すべき測定能力を決定する。
【００６６】
測定制御部１５０は、測定能力調整部１３０において決定した測定能力に基づいて、ユーザ装置２００の測定動作を制御するために、ユーザ装置２００に対してＭｅａｓｕｒｅｍｅｎｔ  Ｏｂｊｅｃｔ及びＲｅｐｏｒｔｉｎｇ  Ｃｏｎｆｉｇｕｒａｔｉｏｎを設定する。
【００６７】
＜ハードウェア構成＞
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６８】
例えば、本発明の一実施の形態における基地局１００は、本発明の無線通信方法の処理を行うコンピュータとして機能してもよい。図１１は、本発明の一実施例による基地局１００のハードウェア構成を示すブロック図である。上述の基地局１００は、物理的には、プロセッサ１００１、メモリ１００２、ストレージ１００３、通信装置１００４、入力装置１００５、出力装置１００６、バス１００７などを含むコンピュータ装置として構成されてもよい。
【００６９】
なお、以下の説明では、「装置」という文言は、回路、デバイス、ユニットなどに読み替えることができる。基地局１００のハードウェア構成は、図に示した各装置を１つ又は複数含むように構成されてもよいし、一部の装置を含まずに構成されてもよい。
【００７０】
基地局１００における各機能は、プロセッサ１００１、メモリ１００２などのハードウェア上に所定のソフトウェア（プログラム）を読み込ませることで、プロセッサ１００１が演算を行い、通信装置１００４による通信、及び／又は、メモリ１００２及びストレージ１００３におけるデータの読み出し及び／又は書き込みを制御することで実現される。
【００７１】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００７２】
また、プロセッサ１００１は、プログラム（プログラムコード）、ソフトウェアモジュール及び／又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００７４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の信号送信部１１０、信号受信部１２０及び基地局間通信部１４０は、通信装置１００４で実現されてもよい。
【００７６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７７】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００７８】
また、基地局１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７９】
＜実施例のまとめ＞
以上、説明したように、本発明の実施例によれば、第２の無線アクセス方式のセカンダリノードと共にユーザ装置に対してデュアルコネクティビティを提供する第１の無線アクセス方式の基地局であって、前記第１の無線アクセス方式における前記ユーザ装置の測定能力の候補又は前記第２の無線アクセス方式における前記ユーザ装置の測定能力の候補を前記セカンダリノードに通知し、前記セカンダリノードからの応答に基づいて、前記第１の無線アクセス方式における前記ユーザ装置の測定能力を決定する測定能力調整部と、前記決定された測定能力に基づいて、前記第１の無線アクセス方式における前記ユーザ装置の測定動作を制御する測定制御部とを有する基地局が提供される。
【００８０】
上記の基地局は、異なる無線アクセス方式を用いたデュアルコネクティビティにおいて、それぞれの無線アクセス方式におけるユーザ装置の測定能力を適切に決定することができ、ユーザ装置の測定動作の設定を無線アクセス方式毎に独立に行うことが可能になる。なお、オペレータが図３及び図４に示すような上限値を考慮して、ＯＡＭ（Ｏｐｅｒａｔｉｏｎ，  Ａｄｍｉｎｉｓｔｒａｔｉｏｎ，  ａｎｄ  Ｍａｉｎｔｅｎａｎｃｅ）システムを介してユーザ装置に対する測定能力を設定することも可能である。しかし、マスターノード及びセカンダリノードが連携してユーザ装置に対する測定能力を決定することで、ユーザ装置個別に対する適切な制御が可能になる。
【００８１】
また、前記測定能力調整部は、前記第１の無線アクセス方式及び前記第２の無線アクセス方式の両方における測定能力の合計値の上限値に基づいて、前記第１の無線アクセス方式における前記ユーザ装置の測定能力の候補又は前記第２の無線アクセス方式における前記ユーザ装置の測定能力の候補を決定して前記セカンダリノードに通知し、前記セカンダリノードが前記通知した測定能力の候補を受け入れたことを示す応答を受信した場合、前記第１の無線アクセス方式及び前記第２の無線アクセス方式の両方における測定能力の合計値の上限値から前記通知した測定能力の候補を減算した測定能力の範囲内で、前記第１の無線アクセス方式における前記ユーザ装置の測定能力を決定してもよい。
【００８２】
上記の構成によれば、セカンダリノードがマスターノードにおいて決定した測定能力を受け入れるため、マスターノードとセカンダリノードとの間で測定能力の調整のために必要な情報交換を減らすことができる。
【００８３】
また、前記測定能力調整部は、前記セカンダリノードから、前記通知した測定能力の候補とは異なる測定能力を要求する応答を受信した場合、当該要求された測定能力を受け入れることができるか判断し、判断結果を前記セカンダリノードに通知してもよい。
【００８４】
上記の構成によれば、セカンダリノードが必要な測定能力をマスターノードに対して要求することができるため、セカンダリノードにとって適切な測定能力を決定することができる。
【００８５】
また、前記測定能力調整部は、前記セカンダリノードから、前記第２の無線アクセス方式における前記ユーザ装置の測定能力の変更要求を受信した場合、前記第２の無線アクセス方式における前記ユーザ装置の測定能力の候補を前記セカンダリノードに通知してもよい。
【００８６】
上記の構成によれば、セカンダリノードにおける環境変化などに応じて、既に決定した測定能力を適切に変更することが可能になる。
【００８７】
＜補足＞
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、ブロードキャスト情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８８】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８９】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９０】
本明細書において基地局１００によって行われるとした特定動作は、場合によってはその上位ノード（upper node）によって行われることもある。基地局を有する１つまたは複数のネットワークノード（network nodes）を含むネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００９１】
情報等は、上位レイヤ(または下位レイヤ)から下位レイヤ(または上位レイヤ)へ出力され得る。複数のネットワークノードを介して入出力されてもよい。
【００９２】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９３】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９４】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的な通知に限られず、暗黙的な通知（例えば、当該所定の情報の通知を行わない）によって行われてもよい。
【００９５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９８】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００９９】
本明細書で使用する「システム」および「ネットワーク」という用語は、互換的に使用される。
【０１００】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【０１０１】
上述したパラメータに使用する名称はいかなる点においても限定的に解釈されるべきではない。さらに、これらのパラメータを使用する数式等は、本明細書で明示的に開示した数式等と異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的に解釈されるべきではない。
【０１０２】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ（又はｇＮＢ）」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）、アクセスポイント（access point）、フェムトセル、スモールセルなどの用語で呼ばれる場合もある。
【０１０３】
ユーザ装置は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０４】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１０６】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０７】
本明細書で使用する「第１の」、「第２の」などの呼称を使用した要素へのいかなる参照も、それらの要素の量または順序を全般的に限定しない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１０８】
上記の各装置の構成における「手段」を、「部」、「回路」、「デバイス」等に置き換えてもよい。
【０１０９】
「含む(include)」、「含んでいる(including)」、およびそれらの変形が、本明細書あるいは請求の範囲で使用されている限り、これら用語は、用語「備える(comprising)」と同様に、包括的であることが意図される。さらに、本明細書あるいは請求の範囲において使用されている用語「または(or)」は、排他的論理和ではないことが意図される。
【０１１０】
以上、本発明の実施例について詳述したが、本発明は上述した特定の実施例に限定されず、請求の範囲に記載された本発明の要旨の範囲内において、種々の変形・変更が可能である。
【０１１１】
本国際出願は２０１７年９月２７日に出願した日本国特許出願２０１７−１８７２５５号に基づく優先権を主張するものであり、２０１７−１８７２５５号の全内容を本国際出願に援用する。
【符号の説明】
【０１１２】
１００  基地局
１１０  信号送信部
１２０  信号受信部
１３０  測定能力調整部
１４０  基地局間通信部
１５０  測定制御部
【図１】
2019065243.tif 000003
【図２】
2019065243.tif 000004
【図３】
2019065243.tif 000005
【図４】
2019065243.tif 000006
【図５】
2019065243.tif 000007
【図６】
2019065243.tif 000008
【図７】
2019065243.tif 000009
【図８】
2019065243.tif 000010
【図９】
2019065243.tif 000011
【図１０】
2019065243.tif 000012
【図１１】
2019065243.tif 000013
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
端末が第１の無線アクセス方式のマスターノードと共に第２の無線アクセス方式のセカンダリノードと通信するときの前記第２の無線アクセス方式における前記端末の測定能力に関する数を決定する制御部と、
前記第２の無線アクセス方式における前記端末の測定能力に関する数を、前記セカンダリノードに送信する送信部と、
前記セカンダリノードから、前記セカンダリノードが前記端末の測定能力に関する数を受け入れたことを示す応答を受信する受信部と、
を有し、
前記制御部は、前記応答に基づいて、前記端末の測定動作を制御する、マスターノード。
【請求項２】
前記制御部は、前記端末の測定能力の合計値の上限値に基づいて、前記第２の無線アクセス方式における前記端末の測定能力に関する数を決定する、請求項１に記載のマスターノード。
【請求項３】
前記端末の測定能力に関する数は、前記端末が測定結果を報告するイベント数と同じである、請求項１又は２に記載のマスターノード。
【請求項４】
第１の無線アクセス方式のマスターノードが、端末が前記マスターノードと共に第２の無線アクセス方式のセカンダリノードと通信するときの前記第２の無線アクセス方式における前記端末の測定能力に関する数を決定するステップと、
前記マスターノードが、前記第２の無線アクセス方式における前記端末の測定能力に関する数を、前記セカンダリノードに送信するステップと、
前記マスターノードが、前記セカンダリノードから、前記セカンダリノードが前記端末の測定能力に関する数を受け入れたことを示す応答を受信するステップと、
前記マスターノードが、前記応答に基づいて、前記端末の測定動作を制御するステップと、
を有する測定動作制御方法。
【請求項５】
第１の無線アクセス方式のマスターノードから、端末が前記マスターノードと共に第２の無線アクセス方式のセカンダリノードと通信するときの前記第２の無線アクセス方式における前記端末の測定能力に関する数を受信する受信部と、
前記端末の測定能力に関する数を受け入れたことを示す応答を送信する送信部と、
前記受け入れた端末の測定能力に関する数に基づいて、前記端末の測定動作を制御する制御部と、
を有するセカンダリノード。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
端末が第１の無線アクセス方式のマスターノードと共に第２の無線アクセス方式のセカンダリノードと通信するときの前記第２の無線アクセス方式における前記端末の測定能力に関する数を決定する制御部と、
前記第２の無線アクセス方式における前記端末の測定能力に関する数を、前記セカンダリノードに送信する送信部と、
前記セカンダリノードから、前記セカンダリノードが前記端末の測定能力に関する数を許容したことを示す応答を受信する受信部と、
を有し、
前記制御部は、前記応答に基づいて、前記端末の測定動作を制御する、マスターノード。
【請求項２】
前記制御部は、前記端末の測定能力の合計値の上限値に基づいて、前記第２の無線アクセス方式における前記端末の測定能力に関する数を決定する、請求項１に記載のマスターノード。
【請求項３】
前記端末の測定能力に関する数は、前記端末が測定結果を報告するイベント数と同じである、請求項１又は２に記載のマスターノード。
【請求項４】
第１の無線アクセス方式のマスターノードが、端末が前記マスターノードと共に第２の無線アクセス方式のセカンダリノードと通信するときの前記第２の無線アクセス方式における前記端末の測定能力に関する数を決定するステップと、
前記マスターノードが、前記第２の無線アクセス方式における前記端末の測定能力に関する数を、前記セカンダリノードに送信するステップと、
前記マスターノードが、前記セカンダリノードから、前記セカンダリノードが前記端末の測定能力に関する数を許容したことを示す応答を受信するステップと、
前記マスターノードが、前記応答に基づいて、前記端末の測定動作を制御するステップと、
を有する測定動作制御方法。
【請求項５】
第１の無線アクセス方式のマスターノードから、端末が前記マスターノードと共に第２の無線アクセス方式のセカンダリノードと通信するときの前記第２の無線アクセス方式における前記端末の測定能力に関する数を受信する受信部と、
前記端末の測定能力に関する数を許容したことを示す応答を送信する送信部と、
前記許容した端末の測定能力に関する数に基づいて、前記端末の測定動作を制御する制御部と、
を有するセカンダリノード。
【国際調査報告】
2019065243.tif 000014
2019065243.tif 000015